【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
特定のクライアント装置に記憶された所定のデータを取得する取得手段と、
前記取得された所定のデータと、該所定のデータを利用するクライアント装置の情報とをそれぞれ関連付けて記憶する第１の記憶手段と、
配信データを記憶する第２の記憶手段と、
前記第２の記憶手段から、前記第１の記憶手段に記憶された所定のデータに関連する配信データを抽出する抽出手段と、
前記所定のデータを管理する管理手段とを備え、
前記管理手段は、前記第１の記憶手段に記憶された前記所定のデータが更新された場合、該所定のデータを利用するクライアント装置に、更新された所定のデータ、または、前記更新された所定のデータおよび前記抽出された配信データを送信することを特徴とする、データサーバ装置。
【請求項２】
前記抽出された配信データを前記所定のデータに関連付けて前記第１の記憶手段に登録する登録手段をさらに備えた、請求項１に記載のデータサーバ装置。
【請求項３】
前記抽出された配信データを配信する際に関連する前記所定のデータを特定可能な情報も送信する、請求項１または２に記載のデータサーバ装置。
【請求項４】
前記管理手段は、さらにクライアント装置とユーザとの対応関係を管理することを特徴とする、請求項１〜３のいずれかに記載のデータサーバ装置。
【請求項５】
前記配信手段は、電子メールを用いて前記抽出された配信データを配信することを特徴とする、請求項１〜４のいずれかに記載のデータサーバ装置。
【請求項６】
前記抽出手段により抽出される配信データは電子クーポン券を含むことを特徴とする、請求項１〜５のいずれかに記載のデータサーバ装置。
【請求項７】
前記抽出手段により抽出された配信データの配信対象となるクライアント装置を選択する選択手段をさらに備え、
前記配信手段は、前記選択されたクライアント装置に前記抽出された配信データを配信することを特徴とする、請求項１〜６のいずれかに記載のデータサーバ装置。
【請求項８】
前記配信手段により、前記配信データとともにサービスを確定するための確定操作情報が配信され、前記確定操作情報を受信したクライアント装置からの確定操作結果を受信する受信手段と、
前記受信された確定操作結果に応じてサービスを提供する提供手段とをさらに備えた、請求項１〜７のいずれかに記載のデータサーバ装置。
【請求項９】
前記受信された確定操作結果には、属性情報を含むことを特徴とする、請求項８に記載のデータサーバ装置。
【請求項１０】
ユーザの関心事項に関する情報を取得する取得手段をさらに備え、
前記抽出手段は、前記取得されたユーザの関心事項に基づいて配信データの抽出の絞込みを行なうことを特徴とする、請求項１〜９のいずれかに記載のデータサーバ装置。
【請求項１１】
前記クライアント装置から送信される参照禁止情報を受信する受信手段をさらに備え、
前記抽出手段は、前記参照禁止情報に応じて、前記所定のデータに関連する前記配信データの抽出を停止する、請求項項１〜１０のいずれかに記載のデータサーバ装置。
【請求項１２】
特定のクライアント装置に記憶された所定のデータを取得する取得ステップと、
前記取得された所定のデータと、該所定のデータを利用するクライアント装置の情報とをそれぞれ関連付けて記憶する第１の記憶ステップと、
配信データを記憶する第２の記憶ステップと、
前記第２の記憶手段から、前記第１の記憶手段に記憶された所定のデータに関連する配信データを抽出する抽出ステップと、
前記所定のデータを管理して、前記第１の記憶手段に記憶された前記所定のデータが更新された場合、該所定のデータを利用するクライアント装置に、更新された所定のデータ、または、前記更新された所定のデータおよび前記抽出された配信データを送信する配信ステップと、をコンピュータに実行させるためのデータ配信プログラム。
【請求項１３】
特定のクライアント装置に記憶された所定のデータを取得する取得ステップと、
前記取得された所定のデータと、該所定のデータを利用するクライアント装置の情報とをそれぞれ関連付けて記憶する第１の記憶ステップと、
配信データを記憶する第２の記憶ステップと、
前記第２の記憶手段から、前記第１の記憶手段に記憶された所定のデータに関連する配信データを抽出する抽出ステップと、
前記所定のデータを管理して、前記第１の記憶手段に記憶された前記所定のデータが更新された場合、該所定のデータを利用するクライアント装置に、更新された所定のデータ、または、前記更新された所定のデータおよび前記抽出された配信データを送信する配信ステップと、をコンピュータに実行させるためのデータ配信プログラムを記録したコンピュータ読み取り可能な記録媒体。
【請求項１４】
データサーバ装置において管理される所定のデータを記憶する記憶手段と、
前記データサーバ装置からのデータを受信する受信手段と、
前記受信されたデータが前記所定のデータについての更新データを含む場合、前記記憶手段を前記更新データに更新する更新手段と、
前記受信されたデータが前記記憶された所定のデータあるいは前記更新された所定のデータに関連する関連データを含む場合、前記記憶手段に前記関連データを登録する登録手段と、
前記登録された関連データをユーザに認知させる認知手段とを備えた、クライアント装置。
【請求項１５】
前記特定のクライエント装置から、前記関連データの配信時間を特定するための配信時間特定情報を受け付ける受付手段をさらに備え、
前記管理手段は、前記配信時間特定情報に応じて、抽出された前記関連データを選択的に配信する、請求項１記載のデータサーバ装置。
【請求項１６】
前記配信データには有効情報が設定されており、
前記管理手段は、前記有効情報に応じて、不要と判断される配信データを前記第２の記憶手段から削除する、請求項１記載のデータサーバ装置。
【請求項１７】
前記関連データには有効期限情報が設定されており、
前記有効期限情報に応じて、不要と判断される関連データを前記記憶手段から削除する抹消手段をさらに備える、請求項１４記載のクライアント装置。
【手続補正２】
【補正対象書類名】明細書
【補正対象項目名】００１５
【補正方法】変更
【補正の内容】
【００１５】
【課題を解決するための手段】
上記目的を達成するため、本発明のある局面に従うと、データサーバ装置は、特定のクライアント装置に記憶された所定のデータを取得する取得手段と、取得された所定のデータと、該所定のデータを利用するクライアント装置の情報とをそれぞれ関連付けて記憶する第１の記憶手段と、配信データを記憶する第２の記憶手段と、第２の記憶手段から、第１の記憶手段に記憶された所定のデータに関連する配信データを抽出する抽出手段と、所定のデータを管理する管理手段とを備え、管理手段は、第１の記憶手段に記憶された所定のデータが更新された場合、該所定のデータを利用するクライアント装置に、更新された所定のデータ、または、更新された所定のデータおよび抽出された配信データを送信することを特徴とする。
【手続補正３】
【補正対象書類名】明細書
【補正対象項目名】００２２
【補正方法】変更
【補正の内容】
【００２２】
好ましくは、データサーバ装置は、特定のクライエント装置から、関連データの配信時間を特定するための配信時間特定情報を受け付ける受付手段をさらに備え、管理手段は、配信時間特定情報に応じて、抽出された関連データを選択的に配信する。
また、好ましくは、配信データには有効情報が設定されており、管理手段は、有効情報に応じて、不要と判断される配信データを第２の記憶手段から削除する。
【手続補正４】
【補正対象書類名】明細書
【補正対象項目名】００６８
【補正方法】変更
【補正の内容】
【００６８】
好ましくは、クライアント装置は、データの配信サービスからの参照禁止するか否かをユーザに選択させる第５の選択手段をさらに備え、選択結果に応じて配信サービスからの参照の許可・禁止を指示することを特徴とする。
好ましくは、クライアント装置は、関連データには有効期限情報が設定されており、有効期限情報に応じて、不要と判断される関連データを記憶手段から削除する抹消手段をさらに備える。